【手続補正書】
【提出日】平成19年9月5日(2007.9.5)
【手続補正１】
【補正対象書類名】特許請求の範囲
【補正対象項目名】全文
【補正方法】変更
【補正の内容】
【特許請求の範囲】
【請求項１】
ａ）機能相粒子０．１から７０重量パーセントと、  ｂ）分散ビヒクルと、  ｃ）その分散ビヒクルに可溶性の超高分子量ポリマー０．１から８重量パーセントとを含んでなる組成物。
【請求項２】
ａ）機能相粒子０．１から７０重量パーセントと、分散ビヒクルと、その分散ビヒクルに可溶性の超高分子量ポリマー０．１から８重量パーセントとを含んでなる堆積物組成物を、オリフィスを通して押しやって、繊維を形成する工程と、  ｂ）場合によりその繊維を伸ばす工程と、  ｃ）その繊維を基材上に堆積させ、前記堆積された繊維から前記分散ビヒクルを蒸発させ、所望の画像で前記基材に取付けられた前記機能相粒子をもたらす工程と、  ｄ）場合により、前記基材および堆積された繊維を、前記有機成分の除去を行うのに十分な温度に加熱する工程とを含んでなる方法。
【請求項３】
ａ）機能相粒子０．１から７０重量パーセントと、分散ビヒクルと、その分散ビヒクルに可溶性の超高分子量ポリマー０．１から８重量パーセントとを含んでなる堆積物組成物の溜めを、分配オリフィスから、基材の表面上に堆積させる工程と、  ｂ）前記溜めを、前記組成物によって湿潤された細く尖った物体と接触させる工程と、  ｃ）前記細く尖った物体を、前記溜めから、および前記基材の表面から離して、取外すことによって、前記溜めから繊維を延伸する工程と、  ｄ）前記細く尖った物体を前記基材より高い他の点に移動させ、前記繊維が前記溜めと前記他の点との間に伸長する工程と、  ｅ）その繊維を、前記溜めと前記基材上の別の点との間に、前記細く尖った物体をその点で前記基材に接触させることによって堆積させる工程と、  ｆ）前記堆積された繊維から前記分散ビヒクルを蒸発させ、所望の画像で前記基材に取付けられた前記機能相粒子をもたらす工程と、  ｇ）場合により、前記基材および堆積された繊維を、前記有機成分の除去を行うのに十分な温度に加熱する工程とを含んでなる方法。
【請求項４】
ａ）機能相粒子０．１から７０重量パーセントと、粘弾性ポリマー溶液とを含んでなる堆積物組成物を、オリフィスを通して押しやって、繊維を形成する工程と、  ｂ）場合によりその繊維を伸ばす工程と、  ｃ）その繊維を基材上に堆積させる工程と、  ｄ）前記堆積された繊維から前記揮発性成分を蒸発させ、所望の画像で前記基材に取付けられた前記機能相粒子をもたらし、場合により、前記基材および堆積された繊維を、前記有機成分の除去を行うのに十分な温度に加熱する工程とを含んでなる方法。
【請求項５】
ａ）機能相粒子０．１から７０重量パーセントと、粘弾性ポリマー溶液とを含んでなる堆積物組成物の溜めを、分配オリフィスから、基材の表面上に堆積させる工程と、  ｂ）前記溜めを、前記組成物によって湿潤された細く尖った物体と接触させる工程と、  ｃ）前記細く尖った物体を、前記溜めから、および前記基材の表面から離して、取外すことによって、前記溜めから繊維を延伸する工程と、  ｄ）前記細く尖った物体を前記基材より高い他の点に移動させ、前記繊維が前記溜めと前記他の点との間に伸長する工程と、  ｅ）その繊維を、前記溜めと前記基材上の別の点との間に、前記細く尖った物体をその点で前記基材に接触させることによって堆積させる工程と、  ｆ）前記堆積された繊維から前記揮発性成分を蒸発させ、所望の画像で前記基材に取付けられている前記機能相粒子をもたらす工程と、  ｇ）場合により、前記基材および堆積された繊維を、前記有機成分の除去を行うのに十分な温度に加熱する工程とを含んでなる方法。
【請求項６】
請求項２または請求項３または請求項４または請求項５に記載の方法によって製造された物品。
【請求項７】
ａ）機能相粒子０．１から７０重量パーセントと、  ｂ）分散ビヒクルと、  ｃ）その分散ビヒクルに可溶性の超高分子量ポリマー０．１から８重量パーセントと、  ｄ）場合により他のアジュバントとを含んでなる少なくとも２つの組成物を含んでなるインクセットであって、  ｅ）前記第２の組成物が、  ｆ）（ｂ）のものと異なった機能相粒子０から７０重量パーセントと、分散ビヒクル、  ｇ）その分散ビヒクルに可溶性の超高分子量ポリマー０．１から８重量パーセントと、  ｈ）場合により他のアジュバントとを含んでなるインクセット。
【請求項８】
ａ）機能相粒子０．１から７０重量パーセントと、  ｂ）粘弾性ポリマー溶液とを含んでなる組成物。
【手続補正２】
【補正対象書類名】明細書
【補正対象項目名】０１７２
【補正方法】変更
【補正の内容】
【０１７２】実施例１４−本技術がより高いポリマーローディングで働くことを実証する  スミトモＡｇナノ粒子（１．５ｇ、１０％）（ニューヨーク州ホワイトプレーンズのスミトモ・エレクトリック）、ジ（エチレングリコール）ブチルエーテル（ダワノール（商標）ＤＢ）（１．５ｇ、１０％）、および脱イオン水（１１．６ｇ、７７．５％）の懸濁液を、ブランソン・ソニファイア４５０（ペンシルバニア州ウェストチェスターのＶＷＲサイエンティフィック）、デューティサイクル＝一定、出力制御＝約３０ｍｉｎの間５、を使用して、２０ｍｌバイアル内で超音波処理した。暗赤色微細懸濁液にポリ（エチレンオキシド）（３７５ｍｇ、２．５％）（平均ＭＷ５，０００，０００）を加えた。サンプルを一晩渦を巻かせ、数時間ローラミルセット上でその最低速度でさらにロールし、スピン印刷に適した粘弾性懸濁液をもたらした。バイオドットＸＹＺディスペンス・プラットフォームを使用して、約２．６ｍ／ｍｉｎできれいなガラススライド上に組成物を印刷し。５５ｍｍの長さおよび８０μｍ未満の幅における４の平行な線を成功して延伸した。  本発明の好適な実施態様は次のとおりである。  １．  ａ）機能相粒子０．１から７０重量パーセントと、  ｂ）分散ビヒクルと、  ｃ）その分散ビヒクルに可溶性の超高分子量ポリマー０．１から８重量パーセントとを含んでなる組成物。  ２．  前記機能相粒子の重量分率が、前記組成物の０．５から５０パーセントである上記１に記載の組成物。  ３．  前記機能相粒子の重量分率が、前記組成物の１から３０重量パーセントを構成する上記１に記載の組成物。  ４．  前記超高分子量ポリマーの重量分率が、前記組成物の０．２から５重量パーセントを構成する上記１に記載の組成物。  ５．  前記超高分子量ポリマーの重量分率が、前記組成物の０．５から３重量パーセントを構成する上記１に記載の組成物。  ６．  前記組成物が、同様の量の前記機能相粒子に取って代わる無機バインダー０．０２から５重量パーセントをさらに含んでなる上記１に記載の組成物。  ７．  前記組成物が、同様の量の前記機能相粒子に取って代わるアジュバント（ａｄｊｕｖａｎｔ）０．０２から５重量パーセントをさらに含んでなる上記１に記載の組成物。  ８．  前記超高分子量ポリマーの重量パーセントが、前記機能相粒子の重量パーセントより小さい上記１に記載の組成物。  ９．  前記機能相粒子が、５マイクロメートル未満の平均寸法である上記１に記載の組成物。  １０．  前記機能相粒子が、１００ナノメートル未満の平均寸法である上記１に記載の組成物。  １１．  前記機能相が、導体、誘電体、絶縁体、および蛍光体よりなる群から選択される上記１に記載の組成物。  １２．  前記機能相が銀である上記１１に記載の組成物。  １３．  前記分散ビヒクルが水または炭化水素である上記１に記載の組成物。  １４．  前記超高分子量ポリマーが、ポリ（エチレンオキシド）、ポリ（アクリルアミド）、およびポリ（α−オレフィン）よりなる群から選択される上記１に記載の組成物。  １５．  ａ）機能相粒子０．１から７０重量パーセントと、分散ビヒクルと、その分散ビヒクルに可溶性の超高分子量ポリマー０．１から８重量パーセントとを含んでなる堆積物組成物を、オリフィスを通して押しやって、繊維を形成する工程と、  ｂ）場合によりその繊維を伸ばす工程と、  ｃ）その繊維を基材上に堆積させ、前記堆積された繊維から前記分散ビヒクルを蒸発させ、所望の画像で前記基材に取付けられた前記機能相粒子をもたらす工程と、  ｄ）場合により、前記基材および堆積された繊維を、前記有機成分の除去を行うのに十分な温度に加熱する工程とを含んでなる方法。  １６．  ａ）機能相粒子０．１から７０重量パーセントと、分散ビヒクルと、その分散ビヒクルに可溶性の超高分子量ポリマー０．１から８重量パーセントとを含んでなる堆積物組成物の溜めを、分配オリフィスから、基材の表面上に堆積させる工程と、  ｂ）前記溜めを、前記組成物によって湿潤された細く尖った物体と接触させる工程と、  ｃ）前記細く尖った物体を、前記溜めから、および前記基材の表面から離して、取外すことによって、前記溜めから繊維を延伸する工程と、  ｄ）前記細く尖った物体を前記基材より高い他の点に移動させ、前記繊維が前記溜めと前記他の点との間に伸長する工程と、  ｅ）その繊維を、前記溜めと前記基材上の別の点との間に、前記細く尖った物体をその点で前記基材に接触させることによって堆積させる工程と、  ｆ）前記堆積された繊維から前記分散ビヒクルを蒸発させ、所望の画像で前記基材に取付けられた前記機能相粒子をもたらす工程と、  ｇ）場合により、前記基材および堆積された繊維を、前記有機成分の除去を行うのに十分な温度に加熱する工程とを含んでなる方法。  １７．  ａ）機能相粒子０．１から７０重量パーセントと、粘弾性ポリマー溶液とを含んでなる堆積物組成物を、オリフィスを通して押しやって、繊維を形成する工程と、  ｂ）場合によりその繊維を伸ばす工程と、  ｃ）その繊維を基材上に堆積させる工程と、  ｄ）前記堆積された繊維から前記揮発性成分を蒸発させ、所望の画像で前記基材に取付けられた前記機能相粒子をもたらし、場合により、前記基材および堆積された繊維を、前記有機成分の除去を行うのに十分な温度に加熱する工程とを含んでなる方法。  １８．  ａ）機能相粒子０．１から７０重量パーセントと、粘弾性ポリマー溶液とを含んでなる堆積物組成物の溜めを、分配オリフィスから、基材の表面上に堆積させる工程と、  ｂ）前記溜めを、前記組成物によって湿潤された細く尖った物体と接触させる工程と、  ｃ）前記細く尖った物体を、前記溜めから、および前記基材の表面から離して、取外すことによって、前記溜めから繊維を延伸する工程と、  ｄ）前記細く尖った物体を前記基材より高い他の点に移動させ、前記繊維が前記溜めと前記他の点との間に伸長する工程と、  ｅ）その繊維を、前記溜めと前記基材上の別の点との間に、前記細く尖った物体をその点で前記基材に接触させることによって堆積させる工程と、  ｆ）前記堆積された繊維から前記揮発性成分を蒸発させ、所望の画像で前記基材に取付けられている前記機能相粒子をもたらす工程と、  ｇ）場合により、前記基材および堆積された繊維を、前記有機成分の除去を行うのに十分な温度に加熱する工程とを含んでなる方法。  １９．  工程ａ）、ｂ）、およびｃ）がすべて、１つの連続方法である上記１５または上記１７に記載の方法。  ２０．  前記機���相粒子の重量分率が、前記堆積物組成物の０．５から５０パーセントである上記１５または上記１６または上記１７または上記１８に記載の方法。  ２１．  前記機能相粒子の重量分率が、前記堆積物組成物の１から３０重量パーセントを構成する上記１５または上記１６または上記１７または上記１８に記載の方法。  ２２．  前記超高分子量ポリマーの重量分率が、前記堆積物組成物の０．２から５重量パーセントを構成する上記１５または１６に記載の方法。  ２３．  前記超高分子量ポリマーの重量分率が、前記堆積物組成物の０．５から３重量パーセントを構成する上記１５または１６に記載の方法。  ２４．  前記堆積物組成物が、同様の量の前記機能相粒子に取って代わる無機バインダー０．０２から５重量パーセントをさらに含んでなる上記１５または上記１６または上記１７または上記１８に記載の方法。  ２５．  前記堆積物組成物が、同様の量の前記機能相粒子に取って代わるアジュバント０．０２から５重量パーセントをさらに含んでなる上記１５または上記１６または上記１７または上記１８に記載の方法。  ２６．  前記超高分子量ポリマーの重量パーセントが、前記機能相粒子の重量パーセントより小さい上記１５または１６に記載の方法。  ２７．  前記機能相粒子が、５マイクロメートル未満の平均寸法である上記１５または１６に記載の方法。  ２８．  前記機能相粒子が、１００ナノメートル未満の平均寸法である上記１５または上記１６または上記１７または上記１８に記載の方法。  ２９．  前記機能相が、導体、誘電体、絶縁体、および蛍光体よりなる群から選択される上記１５または上記１６または上記１７または上記１８に記載の方法。  ３０．  前記機能相が銀である上記２９に記載の方法。  ３１．  前記分散ビヒクルが、水および炭化水素よりなる群から選択される上記１５または１６に記載の方法。  ３２．  前記超高分子量ポリマーが、ポリ（エチレンオキシド）、ポリ（アクリルアミド）、およびポリ（α−オレフィン）よりなる群から選択される上記１５または上記１７に記載の堆積物組成物。  ３３．  前記繊維がシース／コア繊維である上記１５または１６に記載の方法。  ３４．  前記シース層が不堅牢ポリマーのみからなる含んでなる（ｃｏｎｓｉｓｔｓ  ｏｆ  ｃｏｍｐｒｉｓｅｓ）上記３３に記載の方法。  ３５．  前記シース層のポリマー含有量が、前記コア層のポリマー含有量より高い上記３３に記載の方法。  ３６．  前記シースポリマーが活性成分を含有し、前記コアポリマーが導電性成分を含有し、焼成後、前記基材上にカプセル化導体を含有する前記活性成分の層を残す上記３３に記載の方法。  ３７．  ２つもしくはそれ以上の層が、前記基材上に一方が他方の上に印刷される上記１５または上記１６または上記１７または上記１８に記載の方法。  ３８．  ２つもしくはそれ以上の層が、前記基材上に他方の上に印刷され、前記連続層が、異なった活性成分またはアジュバントを含有する上記１５または上記１７に記載の方法。  ３９．  前記基材の表面が、前記基材の自然表面エネルギーのものと異なった表面エネルギーを有して、それをより非湿潤にして、前記堆積物組成物の広がりを最小にするように化学的に変性されている上記１５または上記１６または上記１７または上記１８に記載の方法。  ４０．  前記基材の第１の部分を変性する工程をさらに含んでなり、前記第１の部分が、前記基材の第２の部分上の表面エネルギーと異なった表面エネルギーを有するように変性され、前記第１の部分が、前記堆積された組成物を拘束するように適合される上記３９に記載の方法。  ４１．  前記基材の第１の部分を変性する工程をさらに含んでなり、前記第１の部分が、前記堆積された組成物を拘束するように適合される上記４０に記載の方法。  ４２．  前記堆積物組成物が、前記基材に対して加熱される上記１５または上記１６または上記１７または上記１８に記載の方法。  ４３．  前記基材の表面が、前記堆積物組成物に対して加熱される上記１５または上記１６または上記１７または上記１８に記載の方法。  ４４．  前記堆積物組成物が、前記基材上の予め成形されたチャネル内に堆積される上記１５または上記１６または上記１７または上記１８に記載の方法。  ４５．  前記基材が剛性である上記１５または上記１６または上記１７または上記１８に記載の方法。  ４６．  前記基材が、ガラス、セラミック、およびポリマーよりなる群から選択される上記１５または上記１６または上記１７または上記１８に記載の方法。  ４７．  前記基材が半導体である上記４６に記載の方法。  ４８．  前記基材が可撓性である上記１５または上記１６または上記１７または上記１８に記載の方法。  ４９．  前記オリフィスからの前記繊維が前記基材に触れられて、前記繊維と前記基材との間の接着を確立する上記１５または上記１６または上記１７または上記１８に記載の方法。  ５０．  結果として生じる画像の幅が、前記繊維の延伸比を調節することによって調節される上記１５または上記１６または上記１７または上記１８に記載の方法。  ５１．  上記１５または上記１６または上記１７または上記１８に記載の方法によって製造された物品。  ５２．  前記物品が、ディスプレイデバイス、プラズマディスプレイパネル、電界放出ディスプレイデバイス、液晶ディスプレイデバイス、太陽電池パネル、電気化学電池、印刷回路、アンテナ、電磁放射線用遮蔽デバイス、自動車窓用抵抗ヒータデバイス、エレクトロクロミックウィンドウデバイス、マイクロ波回路、制御モジュール、およびＥＫＧ電極よりなる群から選択される上記５１に記載の物品。  ５３．  前記基材が、ポリマー、ガラス、およびセラミックよりなる群から選択される上記５１に記載の物品。  ５４．  前記基材が半導体である上記５３に記載の物品。  ５５．  ａ）機能相粒子０．１から７０重量パーセントと、  ｂ）分散ビヒクルと、  ｃ）その分散ビヒクルに可溶性の超高分子量ポリマー０．１から８重量パーセントと、  ｄ）場合により他のアジュバントとを含んでなる少なくとも２つの組成物を含んでなるインクセットであって、  ｅ）前記第２の組成物が、  ｆ）（ｂ）のものと異なった機能相粒子０から７０重量パーセントと、分散ビヒクル、  ｇ）その分散ビヒクルに可溶性の超高分子量ポリマー０．１から８重量パーセントと、  ｈ）場合により他のアジュバントとを含んでなるインクセット。  ５６．  前記２つの組成物の分散ビヒクルが不混和性である上記５５に記載のインクセット。  ５７．  前記���つの組成物の分散ビヒクルが混和性である上記５５に記載のインクセット。  ５８．  前記２つの組成物の分散ビヒクルが同じである上記５５に記載のインクセット。  ５９．  前記機能相粒子の重量分率が、前記第１のインク中で前記組成物の０．５から５０パーセントであり、前記第２のインク中で０から５０パーセントである上記５５に記載のインクセット。  ６０．  前記機能相粒子の重量分率が、前記第１のインク中で前記組成物の０．５から５０パーセントであり、前記第２のインク中で０から５０パーセントである上記５５に記載のインクセット。  ６１．  スピナレットが、前記分配オリフィスおよび前記細く尖った物体の両方として役立つ上記１６または上記１８に記載の方法。  ６２．  その繊維を前記溜めと前記基材上の別の点との間で移動させる方法の間、前記細く尖った物体をその点で前記基材に接触させる前に、さらなる組成物が前記スピナレットオリフィスから分配される上記１６または上記１８に記載の方法。  ６３．  線が、同じ溜めから前記基材上のいくつかの異なった位置に延伸される上記１６または上記１８に記載の方法。  ６４．  工程ａ）、ｂ）ｃ）、ｄ）、およびｅ）がすべて、１つの連続方法である上記１６または上記１８に記載の方法。  ６５．  ａ）機能相粒子０．１から７０重量パーセントと、  ｂ）粘弾性ポリマー溶液とを含んでなる組成物。